(57)【要約】【課題】薬剤、特に化学物質を含んだシート状の部材を容易に設置し、或いは取り替えることができる、構造が簡単で安価な棚板を提供する。【解決手段】本発明の棚板は、平板状に構成され、一側面で開口するとともに、表面に凹状の収容部１５が形成された棚本体１０と、化学物質を含んだシート状の部材Ｓを着脱自在に保持し、棚本体１０の収容部１５内に、シート状の部材を露出させた状態で収容可能な保持体２０と、凹状の収容部１５の両サイドに設けられ、棚本体１０の一側面の開口から収容部内へ沿って延びるとともに、保持体２０を開口から収容部内へとスライド自在に案内する一対のガイドレール１２，１２と、を備える。【選択図】図６
2011067259.tif 000002
【特許請求の範囲】
【請求項１】
平板状に構成され、一側面で開口するとともに、表面に凹状の収容部が形成された棚本体と、
化学物質を含んだシート状の部材を着脱自在に保持し、前記棚本体の収容部内に、シート状の部材を露出させた状態で収容可能な保持体と、
前記凹状の収容部の両サイドに設けられ、前記棚本体の一側面の開口から収容部内へ沿って延びるとともに、前記保持体を前記開口から収容部内へとスライド自在に案内する一対のガイドレールと、
を備えることを特徴とする棚板。
【請求項２】
前記保持体は、前記シート状の部材を載置するための載置面と、前記シート状の部材を露出させるための開放部とを有する枠状の保持本体と、この保持本体に対して前記シート状の部材を着脱自在に保持するための保持手段とを有することを特徴とする請求項１に記載の棚板。
【請求項３】
前記一対のガイドレールは、前記保持体と前記棚本体とが略面一になるように、前記保持体を前記収容部内で支持することを特徴とする請求項１または請求項２に記載の棚板。
【発明の詳細な説明】
【技術分野】
【０００１】
本発明は、クローゼット、キッチンキャビネット、洗面キャビネット、下駄箱、商業施設の陳列棚などの各種の収納棚や、倉庫、押入れなどを含む収納空間に設置される棚板に関する。
【背景技術】
【０００２】
従来、例えばキャビネットなどでは、キャビネット側板の内側に対向して上下に適宜な間隔で穿設された下穴に金属製のダボが差し込まれ、そのダボ上に棚板が適宜な間隔で架け渡されて取り付けられている。
【０００３】
また、このようなキャビネットにおいては、その収納空間内の除湿、消臭、防虫等を行なう場合、棚板とは別に消臭用あるいは防虫用等の薬剤（化学物質）を収納空間に入れておく必要があるが、後にこれらの薬剤を取り替えようとする場合に、収納空間のどこに薬剤を置いたかを忘れていることが多く、薬効の切れた薬剤を探し出すのに手間がかかる。
【０００４】
こうした問題に鑑み、特許文献１には、薬剤を容易に取り替えることができるようにした棚板が開示されている。具体的に、この棚板は、天板パネルと、天板パネルの裏面側に設けられる裏蓋とから成り、天板パネルと裏蓋との間に薬剤を収納した袋体を保持する収容室を形成している。そして、天板パネルおよび裏蓋の少なくとも一方に前記収容室に貫通する通気孔を設けるとともに、天板パネルと裏蓋とがそれぞれの係合手段を介して互いに着脱可能に取り付けられる。
【先行技術文献】
【特許文献】
【０００５】
【特許文献１】特開２００８−１６８０６０号公報
【発明の概要】
【発明が解決しようとする課題】
【０００６】
しかしながら、特許文献１に開示される棚板は、その構造が複雑であるため、薬剤の交換が面倒であると共に、製造コストが高くなる。
【０００７】
本発明は、前記事情に着目してなされたものであり、その目的とするところは、薬剤、特に化学物質を含んだシート状の部材を容易に設置し、或いは取り替えることができる、構造が簡単で安価な棚板を提供することにある。
【課題を解決するための手段】
【０００８】
前記課題を解決するために、請求項１に記載の棚板は、平板状に構成され、一側面で開口するとともに、表面に凹状の収容部が形成された棚本体と、化学物質を含んだシート状の部材を着脱自在に保持し、前記棚本体の収容部内に、シート状の部材を露出させた状態で収容可能な保持体と、前記凹状の収容部の両サイドに設けられ、前記棚本体の一側面の開口から収容部内へ沿って延びるとともに、前記保持体を前記開口から収容部内へとスライド自在に案内する一対のガイドレールと、を備えることを特徴とする。
【０００９】
この請求項１に記載の棚板によれば、化学物質を含んだシート状の部材を保持する保持体を、平板状の棚本体に対してスライド装着するだけで、シート状の部材を棚板に組み込むことができ、また、保持体をスライドさせて取り外すだけで、シート状の部材の交換を行なうことができるため、シート状の部材の設置、および交換が容易に行なえる。また、棚本体の凹状の収容部の両サイドに一対のガイドレールを付設して保持体をスライドさせるだけの簡単な構造であるため、製造コストも低く抑えることができる。さらに、シート状の部材は、露出した状態にあるため、保持体に保持されたシート状の部材からの化学作用を収納空間内へと効果的に及ぼすことができる。
【００１０】
なお、上記構成において、化学物質とは、防虫作用、防臭作用、防カビ作用、抗菌作用の少なくとも１つ以上の化学作用をもたらす物質のことであり、シート状の部材は、前記化学物質を例えば塗布した状態、含浸した状態、保持した状態で構成されている。
【００１１】
また、請求項２に記載の棚板は、請求項１に記載の棚板において、前記保持体は、前記シート状の部材を載置するための載置面と、前記シート状の部材を露出させるための開放部とを有する枠状の保持本体と、この保持本体に対して前記シート状の部材を着脱自在に保持するための保持手段とを有することを特徴とする。
【００１２】
この請求項２に記載の棚板によれば、請求項１に記載の棚板と同様の作用効果が得られるとともに、シート状の部材を枠状の保持本体に載せて保持手段によって保持するだけでシート状の部材を保持体に装着できるため、シート状の部材の装着および交換が容易であり、構造も簡単となる。
【００１３】
また、請求項３に記載の発明は、請求項１または請求項２に記載の棚板において、前記一対のガイドレールは、前記保持体と前記棚本体とが略面一になるように、前記保持体を前記収容部内で支持することを特徴とする。
【００１４】
この請求項３に記載の棚板によれば、請求項１または請求項２に記載の棚板と同様の作用効果が得られるとともに、装着状態で保持体と棚本体とが略面一になるため、見栄えが良くなる。
【００１５】
なお、上記した一対のガイドレールは、棚本体と別体で形成し、これを凹状の収容部の両サイドに固定することが好ましい。これにより、棚本体の強度を十分に確保することができる
【発明の効果】
【００１６】
本発明によれば、薬剤、特に化学物質を含んだシート状の部材を容易に設置し或いは取り替えることができる、構造が簡単で安価な棚板が提供される。
【図面の簡単な説明】
【００１７】
【図１】本発明の一実施形態に係る棚板の棚本体を下面側から見た斜視図。
【図２】本発明の一実施形態に係る棚板の棚本体を下面側から見た平面図。
【図３】シート状の部材を保持した保持体の平面図。
【図４】図３の保持体を裏側から見た図であり、シート状の部材を保持する保持手段を示す平面図。
【図５】シート状の部材を保持体に装着するために、保持体に対して保持手段を取り付ける作業状態を示す斜視図。
【図６】棚本体に対して保持体をスライド装着する作業状態を説明する斜視図。
【図７】本発明の一実施形態に係る棚板をキャビネットに取り付けた状態を示す斜視図。
【図８】変形例に係る棚本体の斜視図。
【発明を実施するための形態】
【００１８】
以下、本発明に係る棚板の一実施形態について添付図面を参照して具体的に説明する。
【００１９】
本発明の棚板は、クローゼット、キッチンキャビネット、洗面キャビネット、下駄箱、商業施設の陳列棚などの各種の収納棚や、倉庫、押入れなどを含む収納空間に設置することが可能であり、例えば、図７に示すように、任意のタイプのキャビネット５０に設置することが可能となっている。図７にも示されるように、この棚板１は、キャビネット５０に着脱自在に取り付けられる棚本体１０と、棚本体１０に着脱自在に取り付けられ、且つ化学物質を含むシート状の部材（以下、シートＳと称する）を保持する保持体２０とを備えて構成される。
【００２０】
図１および図２には、棚板１を構成する棚本体１０が示されている。図示のように、棚本体１０は、平板状に構成されており、図示しない収容物（キャビネット内に収容されるべき任意の物品）を支えるための上面１０ｂと、上面１０ｂと反対側の下面１０ａとを有している。また、下面１０ａには、下方へ向けて（図１および図２では、棚本体１０が下面１０ａを上向きにして置かれているため、上方へ向けて）開放され、且つ棚本体１０の一側面１０ｃで開口する凹状の収容部１５が形成されている。具体的に、この収容部１５は、棚本体１０の一側面１０ｃから反対側の対向側面１０ｄへ向けて矩形状に延在しており、所定の奥行きをもって側面１０ｄと平行な閉端面１７で終端している。
【００２１】
収容部１５の両サイド（幅方向の両側）には、収容部１５の両側面に沿って、棚本体１０の一側面１０ｃから閉端面１７へ向けて延びる一対のガイドレール１２，１２が設けられている。これらのガイドレール１２，１２は、コの字状の断面を成しており、棚本体１０と別体に形成されるとともに、コの字の開口部を収容部１５に向けた状態で棚本体１０に対して取り付け固定されている。なお、一対のガイドレール１２，１２は、棚本体１０に対して保持体２０が装着された状態で保持体２０の下面と棚本体１０の下面１０ａとが略面一になるように、その支持力および強度を損なわない範囲でその厚さが極力薄く形成されている。
【００２２】
図３および図４には、棚板１を構成する保持体２０が示されている。図示のように、保持体２０は、防虫作用、防臭作用、防カビ作用、抗菌作用の少なくとも１つの作用をもたらす化学物質を含んだシートＳを着脱自在に保持することができ、棚本体１０の収容部１５内に着脱自在に収容されるようになっている。具体的に、保持体２０は、枠状の保持本体（後述するように、枠片２０ａと中間支枠片２０ｂで構成される）と、保持本体に対してシートＳを着脱自在に保持するための保持手段３０とを備えている。
【００２３】
前記保持本体は、所定の深さ（例えば、シートＳの厚みに相当する深さ）を有する矩形の枠片２０ａと、枠片２０ａの開口部を跨ぐように互いに間隔を隔てて設けられる所定幅の複数（図では２本）の中間支枠片２０ｂとから構成されており、それにより、枠片２０ａの底面と中間支枠片２０ｂとによってシートＳを載置するための載置面を形成するとともに、シートＳを露出させるための複数の開放部（図３では３つの開放部が示される）２２を形成している。
【００２４】
保持本体に対してシートＳを着脱自在に保持するための前記保持手段３０は、前記載置面との間でシートＳを挟み込むように、前記載置面と対向して保持体２０の裏側に位置される。具体的には、図４に示すように、保持手段３０は、複数の棒状の部材で構成されており、少なくとも１つの（図では２つの）屈曲係止部３２ａを有する２本の係止バー３２，３２と、これらの係止バー３２，３２同士を接続する２本の連結バー３３，３３とから成る矩形の枠状部と、２本の連結バー３３，３３間に架設される複数の支持バー３５および支持バー同士を結合する補強バー３６とによって構成されている。
【００２５】
そして、保持手段３０は、その係止バー３２，３２の屈曲係止部３２ａを、前記保持本体の枠片２０ａの周縁に設けられたフック状の掛合部２５に係脱自在に係止させることによって枠片２０ａに対して装着され、前記載置面との間でシートＳを挟み込むように保持するようになっている。
【００２６】
以上のように構成される棚板１では、まず、図５に示されるように、前記保持本体の載置面上にシートＳを載置した状態で、上述したように保持手段３０を枠片２０ａに対して装着する。その後、シートＳを保持した保持体２０を、図６に示されるように、棚本体１０の一側面１０ｃ側から収容部１５内へとスライドさせて装着する。このとき、一対のガイドレール１２，１２が保持体２０を収容部１５内へとスライド自在に案内する。
【００２７】
このように棚本体１０に保持体２０が装着された棚板１は、例えば、図７に示されるように、キャビネット５０に対して可動棚として取り付けることが可能である。この取り付けに際しては、一対のキャビネット側板５４の内側に対向して上下に適宜な間隔で穿設された係止穴５５に金属製のダボ５６を差し込み、そのダボ５６上に棚板１を適宜な間隔で架け渡し取り付ける。また、このとき、棚板１は、保持体２０によって保持されたシートＳが下側に向いた状態（シートＳが開放窓２２から露出している）で、且つ棚本体１０の一側面１０ｃ側をキャビネット５０の背板５７に対面させた状態となっており、見栄え良く配置される。そして、この設置状態では、ガイドレール１２，１２は、収容部１５内に収容された保持体２０を下側から支持するとともに、保持体２０の下面と棚本体１０の下面とが略面一になるように保持体２０を支持している。
【００２８】
なお、図７において、符号５２はキャビネット５０の扉であり、符号５９は扉５２と側板５４とを回動自在に結合するヒンジである。
【００２９】
以上、シートＳを装着した棚板１をキャビネット５０に設置する場合について説明したが、シートＳを交換する場合には、以上と逆の作業を行なえば良い。
【００３０】
このように、本実施形態の棚板１によれば、化学物質を含んだシートＳを保持する保持体２０を、棚本体１０の下面１０ａにスライド装着するだけでシートＳを棚板１に組み込むことができ、また、棚板１から保持体２０をスライドさせて取り外すだけでシートＳの交換を行なうことができるため、シートＳの設置および交換が容易に行なえる。また、棚本体１０の凹状の収容部１５にガイドレール１２，１２を付設して保持体２０をスライドさせるだけの簡単な構造であるため、製造コストも低く抑えることができる。また、保持体２０を収容する収容部１５が下方に向けて開放されているため、保持体２０に保持されたシートＳからの化学作用を、開放部２２を介して下側の棚収納空間内へと効果的に及ぼすことができる。さらに、ガイドレール１２，１２が保持体２０の案内と支持とを兼ねているため、部品点数を抑えながら、保持体２０の容易な装着および安定的な支持を実現できる。
【００３１】
なお、本発明は、上述した実施形態に限定されず、その要旨を逸脱しない範囲で種々変形して実施することが可能である。例えば、前述した実施形態では、一対のガイドレール１２，１２が棚本体１０と別体に形成されて棚本体１０に対して取り付け固定されているが、図８に示されるように、棚本体１０Ａの収容部１５の両サイドに、そのまま一対のガイドレール１２，１２を一体形成しても良い。このようにガイドレール１２と棚本体１０Ａとを一体で形成する場合には、切削等によって棚本体１０Ａにガイドレール１２を加工することが可能である。
【符号の説明】
【００３２】
１  棚板
１０，１０Ａ  棚本体
１０ａ  下面
１０ｂ  上面
１０ｃ  一側面
１２  ガイドレール
１５  収容部
２０  保持体
２０ａ  枠片
２２  開放部
３０  保持手段
Ｓ  シート（シート状の部材）
【図１】
2011067259.tif 000003
【図２】
2011067259.tif 000004
【図３】
2011067259.tif 000005
【図４】
2011067259.tif 000006
【図５】
2011067259.tif 000007
【図６】
2011067259.tif 000008
【図７】
2011067259.tif 000009
【図８】
2011067259.tif 000010